(57)【要約】      （修正有）【課題】トレー本体に撓曲状態で収容された部材の跳ね上がりをトレー本体に装着したアタッチメントによって確実に防止することができ、しかも、トレー本体に対するアタッチメントの着脱の際の操作性及び安全性の向上に資するものでありながら、容易に製造可能であって製造コストの低減をも図ることのできるアタッチメント付きトレーを提供する。【解決手段】トレー本体１と、トレー本体に着脱自在に取り付けられるアタッチメント２とを備え、トレー本体は、底部３と、側壁部４と、フランジ５とを有し、アタッチメントは、突出部と、フランジに係止する係止部６〜８とを有し、係止部が、上側当接部と、下側当接部と、ブリッジ部とを有し、上側当接部、下側当接部及びブリッジ部によって形成される溝内にフランジが差し込まれるように構成されている。【選択図】図１
0003152800.tif 000002
【実用新案登録請求の範囲】
【請求項１】
トレー本体と、該トレー本体に着脱自在に取り付けられるアタッチメントとを備え、前記トレー本体は、底部と、該底部の周縁に立設された側壁部と、該側壁部の上端に連設されたフランジとを有し、前記アタッチメントは、前記側壁部で囲まれた空間内または該空間の上方に突出する突出部と、前記フランジに係止する係止部とを有し、前記係止部が、前記フランジの上面に当接する上側当接部と、前記フランジの下面に当接する下側当接部と、前記上側当接部及び下側当接部を繋ぐブリッジ部とを有し、前記上側当接部、下側当接部及びブリッジ部によって形成される溝内に前記フランジが差し込まれるように構成されているアタッチメント付きトレー。
【請求項２】
前記突出部に、前記側壁部の内面に係止する抜け止め部が設けられている請求項１に記載のアタッチメント付きトレー。
【請求項３】
前記抜け止め部が、前記突出部に設けられた下方に凹入する凹入部によって構成されている請求項２に記載のアタッチメント付きトレー。
【請求項４】
前記凹入部に、前記側壁部の内面に係止可能な係止片を形成するための切り込みが設けられている請求項３に記載のアタッチメント付きトレー。
【請求項５】
前記凹入部に、前記係止片の基端部を構成するリブが設けられている請求項４に記載のアタッチメント付きトレー。
【請求項６】
前記フランジが４辺からなり、そのうちの３辺または隣り合う２辺に前記係止部が係止するように構成されている請求項１〜５の何れかに記載のアタッチメント付きトレー。
【請求項７】
前記突出部に、該突出部の他の部位よりも前記空間内または該空間の上方に水平方向において大きく突出する庇部が設けられ、該庇部が、前記側壁部に設けられたコーナー部の内側またはその上方に位置している請求項１〜６の何れかに記載のアタッチメント付きトレー。
【請求項８】
相互に嵌合する凹凸の一方が前記フランジに設けられ、他方が前記アタッチメントに設けられている請求項１〜７の何れかに記載のアタッチメント付きトレー。
【請求項９】
医療器具用トレーである請求項１〜８の何れかに記載のアタッチメント付きトレー。
【考案の詳細な説明】
【技術分野】
【０００１】
本考案は、トレー本体とこれに装着されるアタッチメントとを備えたアタッチメント付きトレーに関し、特にカテーテルやこれに挿入されるガイドワイヤー等の長尺で弾性を有する医療器具を収容する医療器具用トレーとして用いて好適なアタッチメント付きトレーに関する。
【背景技術】
【０００２】
医療処置に用いられるカテーテルは、処置前に皿状のステンレスパン内にて例えば生理用食塩水に浸漬され、この際、ステンレスパンに比して長尺であるカテーテルは適宜に曲げられた状態（撓曲状態）となる。そして、撓曲状態のカテーテルはその弾性復元力により跳ね上がるおそれがあり、これを防ぐためにカテーテルを押さえる等の手作業を行うと、他の作業が放置されタイムロスに繋がる等の不都合が生じる。
【０００３】
そこで、カテーテルを収容する従来のトレーとして、上述したカテーテルの跳ね上がりを防止するための跳ね防止部材がトレー本体に装着されるものがある。すなわち、跳ね防止部材は、トレー本体の上端部からその内側に向けて庇状に突出する突出部分を有する部材であり、この突出部分にカテーテルの端部を当接させることにより、トレー本体に収容したカテーテルの跳ね上がりを防止することができる。
【０００４】
そして、この従来のトレーでは、トレー本体に対して跳ね防止部材を着脱自在とするために、トレー本体と跳ね防止部材との相互に対応する数箇所の位置に、互いに嵌合する凹凸が設けられている。
【考案の概要】
【考案が解決しようとする課題】
【０００５】
しかし、上記従来のトレーでは、凹凸が相互に強力に嵌合した場合、トレー本体から跳ね防止部材を離脱するのが困難となる。そして、この離脱を断念し、跳ね防止部材が装着されたままの状態でトレー本体を廃棄すると、跳ね防止部材が邪魔になってトレー本体がうまく積み重ならずに嵩張ってしまい、不都合である。そこで、廃棄時にトレーを押し潰すことも考えられるが、トレーはカテーテルや生理用食塩水等が収容されるものであるので、そのような廃棄の仕方は衛生上好ましくない。また、強力に嵌合した凹凸を無理に外そうとした際にトレーが破断すれば、その破断したトレーによって作業者が負傷するおそれもあり、不衛生なトレーによる怪我は深刻な事故に発展しかねない。
【０００６】
一方、凹凸の嵌合が緩すぎると、トレー本体から跳ね防止部材が簡単に外れてしまうため、トレー本体に収容したカテーテルの端部の跳ね上がりを防止するという所期の目的が達せられない。
【０００７】
すなわち、トレー本体と跳ね防止部材との着脱構造を凹凸の嵌合が専ら担うように構成された上記従来のトレーでは、その嵌合強さの条件がシビアになり、上記の不具合を確実に回避しようとすれば製造の困難化やコストアップを招来することとなる。
【０００８】
この考案は上述の事柄に留意してなされたもので、その目的は、トレー本体に撓曲状態で収容された部材の跳ね上がりをトレー本体に装着したアタッチメントによって確実に防止することができ、しかも、トレー本体に対するアタッチメントの着脱の際の操作性及び安全性の向上に資するものでありながら、容易に製造可能であって製造コストの低減をも図ることのできるアタッチメント付きトレーを提供することである。
【課題を解決するための手段】
【０００９】
上記目的を達成するために、本考案のアタッチメント付きトレーは、トレー本体と、該トレー本体に着脱自在に取り付けられるアタッチメントとを備え、前記トレー本体は、底部と、該底部の周縁に立設された側壁部と、該側壁部の上端に連設されたフランジとを有し、前記アタッチメントは、前記側壁部で囲まれた空間内または該空間の上方に突出する突出部と、前記フランジに係止する係止部とを有し、前記係止部が、前記フランジの上面に当接する上側当接部と、前記フランジの下面に当接する下側当接部と、前記上側当接部及び下側当接部を繋ぐブリッジ部とを有し、前記上側当接部、下側当接部及びブリッジ部によって形成される溝内に前記フランジが差し込まれるように構成されている（請求項１）。
【００１０】
上記アタッチメント付きトレーにおいて、前記突出部に、前記側壁部の内面に係止する抜け止め部が設けられていることが好ましい（請求項２）。
【００１１】
ここで、前記抜け止め部は、前記突出部に設けられた下方に凹入する凹入部によって構成することができ（請求項３）、前記凹入部に、前記側壁部の内面に係止可能な係止片を形成するための切り込みが設けられていてもよく（請求項４）、さらに、前記凹入部に、前記係止片の基端部を構成するリブが設けられていてもよい（請求項５）。
【００１２】
上記アタッチメント付きトレーにおいて、前記フランジが４辺からなり、そのうちの３辺または隣り合う２辺に前記係止部が係止するように構成されていてもよい（請求項６）。
【００１３】
上記アタッチメント付きトレーにおいて、前記突出部に、該突出部の他の部位よりも前記空間内または該空間の上方に水平方向において大きく突出する庇部が設けられ、該庇部が、前記側壁部に設けられたコーナー部の内側またはその上方に位置していてもよい（請求項７）。
【００１４】
上記アタッチメント付きトレーにおいて、相互に嵌合する凹凸の一方が前記フランジに設けられ、他方が前記アタッチメントに設けられていてもよい（請求項８）。
【００１５】
上記アタッチメント付きトレーが医療器具用トレーであってもよい（請求項９）。
【考案の効果】
【００１６】
請求項１〜９に係る本考案では、トレー本体に撓曲状態で収容された部材の跳ね上がりをトレー本体に装着したアタッチメントによって確実に防止することができ、しかも、トレー本体に対するアタッチメントの着脱の際の操作性及び安全性の向上に資するものでありながら、容易に製造可能であって製造コストの低減をも図ることのできるアタッチメント付きトレーが得られる。
【００１７】
即ち、請求項１に係る本考案では、トレー本体に撓曲状態で収容されたカテーテル等の可撓曲部材が自己の弾性復元力により跳ね上がることを、可撓曲部材の端部をアタッチメントの突出部に当接させることによって確実に防止することができる。
【００１８】
しかも、トレー本体に対するアタッチメントの着脱は、係止部の上側当接部、下側当接部及びブリッジ部によって形成される溝内に対するフランジの差し抜きにより簡単に行えるので、この着脱の際の操作性のみならずその安全性の向上をも図ることができる。
【００１９】
その上、トレー本体及びアタッチメントはいずれも容易に製造可能な構造とすることができ、シビアな設計等が不必要であって製造コストの低減化の実現に寄与することができる。
【００２０】
請求項２に係る本考案では、トレー本体にアタッチメントが装着された状態の安定性を大いに高めることができる。
【００２１】
請求項３に係る本考案では、凹入部というシンプルな構成によってアタッチメントの装着安定性を高めることができ、しかもトレー本体に対するアタッチメントの着脱の際には凹入部を押し上げればこの凹入部が着脱操作を妨げることもなく、高い着脱操作性を維持することができる。
【００２２】
請求項４に係る本考案では、アタッチメントがトレー本体から抜けることが係止片によっても防がれ、装着安定性がより高まる。
【００２３】
請求項５に係る本考案では、側壁部の内面に係止可能な状態とするために押し下げた（折り曲げた）係止片がその押し下げ（折り曲げ）により割れてしまうことをリブによって防止することができる。
【００２４】
請求項６に係る本考案でも、上記各効果が得られる。
【００２５】
請求項７に係る本考案では、トレー本体に撓曲状態で収容された部材（例えばカテーテル）の端部を庇部に当接させるようにすることで、その部材の取扱性等を向上させることができる。
【００２６】
請求項８に係る本考案では、トレー本体に対するアタッチメントの装着時に凹凸を嵌合させることにより、トレー本体からのアタッチメントの脱落を一層確実に防止することが可能となる。
【００２７】
請求項９に係る本考案でも、上記各効果が得られる。
【図面の簡単な説明】
【００２８】
【図１】本考案の一実施の形態に係るアタッチメント付きトレーの構成を概略的に    示す平面図である。
【図２】（Ａ）は上記実施の形態におけるトレー本体の構成を概略的に示す平面図    、同図（Ｂ）は（Ａ）におけるＸ−Ｘ線断面図、同図（Ｃ）は（Ａ）におけるＹ−Ｙ    線断面図である。
【図３】（Ａ）〜（Ｃ）は上記実施の形態におけるアタッチメントの構成を概略的    に示す平面図、正面図及び側面図である。
【考案を実施するための形態】
【００２９】
以下、本考案の実施の形態について図面を参照しながら説明する。ここで、図１は本考案の一実施の形態に係るアタッチメント付きトレー（以下、トレーと略記する）の構成を概略的に示す平面図、図２（Ａ）は上記実施の形態におけるトレー本体１の構成を概略的に示す平面図、同図（Ｂ）は（Ａ）におけるＸ−Ｘ線断面図、同図（Ｃ）は（Ａ）におけるＹ−Ｙ線断面図、図３（Ａ）〜（Ｃ）は上記実施の形態におけるアタッチメントの構成を概略的に示す平面図、正面図及び側面図である。
【００３０】
まず、本形態に係るトレーは、医療処置に用いられるカテーテル、ガイドワイヤーやこれらが浸漬する生理用食塩水等の液の他、ガーゼ、メス、ドレープ等の収容にも用いることができるものである。
【００３１】
そして、図１に示すように、本形態に係るトレーは、トレー本体１と、トレー本体１に着脱自在に取り付けられるアタッチメント２とを備えている。すなわち、図１には、トレー本体１にアタッチメント２を装着した状態を示している。
【００３２】
トレー本体１及びアタッチメント２の素材には、例えば、ポリプロピレン（ＰＰ）、ポリエチレンテレフタレート（ＰＥＴ）、ポリスチレン（ＰＳ）等のプラスチックシートを採用可能である。
【００３３】
また、トレー本体１及びアタッチメント２は、例えば真空成形、圧空成形、或いはこれらを併用した真空・圧空成形等により成形することができ、本形態では真空成形により成形されている。
【００３４】
次に、トレーの各構成部材１、２の具体的な構造について説明する。
【００３５】
トレー本体１は、図２（Ａ）〜（Ｃ）に示すように、平面視略矩形状の底部３と、底部３の周縁に立設された角筒状の側壁部４と、側壁部４の上端に連設された角枠状のフランジ５とを有している。尚、トレー本体１の寸法は、横幅が４００ｍｍ程度、高さが１００ｍｍ程度、奥行きが３５０ｍｍ程度となっている。
【００３６】
ここで、側壁部４には、上下方向に延びる複数のリブ４ａが適宜の間隔をおいて設けられている。
【００３７】
また、フランジ５は４辺をなす縁部５ａ，５ｂ，５ｃ，５ｄからなり、トレー本体１の横幅方向に延びる縁部５ａ，５ｃの幅は２０ｍｍ程度であり、トレー本体１の奥行き方向に延びる縁部５ｂ，５ｄの幅は１０ｍｍ程度である。
【００３８】
アタッチメント２は、図３（Ａ）に示すように、略横長矩形状のシート体からなり、その一つの横辺と、二つの縦辺とにそれぞれ外方に向けて延びる部分６ａ，７ａ，８ａが設けられている。そして、各部分６ａ〜８ａは、図３（Ａ）において２点鎖線で示すように、フランジ５に係止する係止部６〜８を構成するためにアタッチメント２の下面側に折り曲げられ（折り返され）、この係止時にはフランジ５の下面に当接する下面当接部６ａ〜８ａとなる。また、アタッチメント２において下面側に折り曲げられた下面当接部６ａ〜８ａに対してその上方から面する部分６ｂ〜８ｂは、フランジ５への係止時にフランジ５の上面に当接する上面当接部６ｂ〜８ｂとなる。さらに、上述のように下面当接部６ａ〜８ａを下面側に折り曲げた際に、下面当接部６ａ〜８ａと上面当接部６ｂ〜８ｂとを繋ぐ屈曲状のブリッジ部６ｃ〜８ｃが必然的に形成されることになる。
【００３９】
すなわち、係止部６〜８は、フランジ５の上面に当接する上側当接部６ｂ〜８ｂと、フランジ５の下面に当接する下側当接部６ａ〜８ａと、上側当接部６ｂ〜８ｂ及び下側当接部６ａ〜８ａを繋ぐブリッジ部６ｃ〜８ｃとを有し、上側当接部６ｂ〜８ｂ、下側当接部６ａ〜８ａ及びブリッジ部６ｃ〜８ｃによって形成される溝内にフランジ５（縁部５ｃ，５ｂ，５ｄ）が差し込まれるように構成されている。
【００４０】
また、図３（Ａ）に示すように、アタッチメント２の二つの横辺のうち係止部６が設けられていない方の横辺の両端部には、外方に向けて延びる庇部９，１０が設けられている。
【００４１】
さらに、図３（Ａ）〜（Ｃ）に示すように、アタッチメント２の中央部の適宜の位置には、下方に凹入する凹入部１１が設けられ、この凹入部１１は、図３（Ａ）及び（Ｂ）に示すように、係止部６が設けられた横辺側に急勾配面１１ａを有し、逆側に緩勾配面１１ｂを有している。尚、本例における凹入部１１の凹入深さは約５ｍｍである。
【００４２】
そして、トレー本体１に対してアタッチメント２を装着するには、フランジ５の三つの縁部５ｂ，５ｃ，５ｄが係止部８，６，７の溝内にそれぞれ差し込まれるように、トレー本体１に対してアタッチメント２を嵌め込めばよい。これにより、トレーは図１に示す状態となり、この状態では、係止部８，６，７が縁部５ｂ，５ｃ，５ｄに係止することとなる。
【００４３】
また、図１に示す装着状態では、アタッチメント２において、フランジ５に当接する部分（係止部６〜８を含む）よりもトレー本体１の内側に位置する部分は、側壁部４で囲まれた空間内または該空間の上方に突出する庇状の突出部となり、例えばトレー本体１内にカテーテルを撓曲状態で収容した際にそのカテーテルの端部をこの突出部に当接させることにより、カテーテルの跳ね上がりを確実に防止することができる。ここで、前記突出部に、該突出部の他の部位よりも側壁部４で囲まれた前記空間内または該空間の上方に水平方向において大きく突出する庇部９，１０が設けられ、庇部９，１０は、側壁部４に設けられたコーナー部（四隅）の内側またはその上方に位置している。そして、本例ではこのことを利用し、カテーテルの端部を庇部９，１０に当接させるようにすることで取扱性等の向上を図っている。
【００４４】
さらに、凹入部１１は、上記の突出部に該当する部位に設けられるものであり、かつ、上記装着状態において急勾配面１１ａが側壁部４の内面に当接するように構成されている。従って、凹入部１１は、側壁部４の内面に係止してアタッチメント２がトレー本体１から抜けることを防ぐ抜け止め部として機能する。尚、急勾配面１１ａの逆側の面は緩勾配面１１ｂとしてあるので、トレー本体１にアタッチメント２を装着する際の抵抗は可及的に小さく抑えられる。
【００４５】
しかも、凹入部１１には、側壁部４の内面に係止可能な係止片１２を形成するための複数（本例では二つ）の略コの字形状の切り込み１３と、各係止片１２の基端部を構成するリブ１４とが設けられている（図１、図３参照）。そして、トレー本体１に対するアタッチメント２の装着後に係止片１２を押し下げる（折り曲げる）ことで係止片１２は側壁部４の内面に係止可能な状態となり（図３（Ｃ）の仮想線参照）、これによって、係止片１２もアタッチメント２がトレー本体１から抜けることを防ぐ抜け止め部（ストッパ）として機能するようになる。尚、リブ１４により、押し下げた（折り曲げた）係止片１２が割れてしまうことは防止される。
【００４６】
そして、装着状態にあるアタッチメント２をトレー本体１から離脱させるには、凹入部１１を係止片１２と共に押し上げ、アタッチメント２をトレー本体１から引き抜けばよい。
【００４７】
本形態のトレーでは、トレー本体１に撓曲状態で収容されたカテーテル等の可撓曲部材が自己の弾性復元力により跳ね上がることを、可撓曲部材の端部をアタッチメント２の突出部に当接させることによって確実に防止することができる。
【００４８】
しかも、トレー本体１に対するアタッチメント２の着脱は、上述のように簡単に行うことができるので、この着脱の際の操作性のみならずその安全性の向上をも図ることができる。
【００４９】
その上、トレーを構成するトレー本体１及びアタッチメント２はいずれも容易に製造可能な構造を有するものであり、シビアな設計等が不必要であって製造コストの低減化を実現することもできる。
【００５０】
尚、本考案は、上記の実施の形態に限られず、種々に変形して実施することができる。そこで、以下にその変形例について説明する。
【００５１】
上記の実施の形態では、トレー本体１に対して一つのアタッチメント２を装着しているが、二つのアタッチメント２をトレー本体１の両側に装着してもよい。また、アタッチメント２を、フランジ５の縁部５ａ，５ｂ，５ｃあるいは縁部５ｃ，５ｄ，５ａを用いて装着する構成としてもよい。
【００５２】
上記の実施の形態では、側壁部４にリブ４ａを設けてあるが、リブ４ａは無くてもよい。
【００５３】
上記の実施の形態では、各縁部５ｂ，５ｃ，５ｄに対してそれぞれ一つの係止部６〜８のみを係止させてあるが、一つの縁部５に対してこれに係止する係止部を複数設けてもよい。
【００５４】
上記の実施の形態における装着状態のアタッチメント２が、トレー本体１の前後方向に移動しないのは係止部６と凹入部１１とで縁部５ｃを挟み込む構成となっているからであり、トレー本体１の左右方向に移動しないのはトレー本体１の左右両側に係止部７，８を係止させてあるからである。従って、例えば、係止部７とで縁部５ｄを挟み込む凹入部を上記凹入部１１とは別に（あるいは凹入部１１と一体的に）設ければ、装着状態のアタッチメント２がトレー本体１の左右方向に移動しなくなるので、係止部８を省くことができる。つまり、上記の実施の形態では、フランジ５が４辺からなり、そのうちの３辺に係止部６〜８が係止しているが、４辺からなるフランジ５における隣り合う２辺のみに係止部が係止するように構成することもできる。
【００５５】
庇部９，１０の構成も種々に変形可能であり、例えば何れか一方のみを設けるようにしてもよいし、庇部９，１０を繋いで一つの庇部としてもよい。
【００５６】
また、装着状態の安定性が幾分損なわれるが、凹入部１１を設けなくてもよい。すなわち、撓曲状態でトレー本体１に収容したカテーテル等の可撓曲部材の端部をアタッチメント２に当接させた場合、アタッチメント２が可撓曲部材から受けるのは主として上向きの力であって、アタッチメント２は水平方向の力を受けない限りトレー本体１から外れないのであり、従って、凹入部１１が存在しないからといってカテーテル等の可撓曲部材の跳ね上がりを直ちに防止することができなくなるわけではない。
【００５７】
また、凹入部１１の構成も種々に変形可能であり、例えば凹入部１１を一つに限らず複数設けることができる。
【００５８】
そして、トレー本体１は、平面視略矩形状の底部３、角筒状の側壁部４及び角枠状のフランジ５を有するものに限られず、他の形状を有するトレー本体１であっても本考案を適用することができるのであり、例えば底部３の平面視が円形状であり、側壁部４が円筒状であり、フランジ５が円環状であってもよい。
【００５９】
また、凹入部１１に設けた係止片１２を形成するための切り込み１３やリブ１４を設けなくてもよい。
【００６０】
また、相互に嵌合する凹凸の一方をフランジ５に設け、他方をアタッチメント２の適宜の位置（例えば上側当接部６ｂ）に設け、トレー本体１に対するアタッチメント２の装着時に凹凸を嵌合させることにより、トレー本体１からのアタッチメント２の脱落が一層確実に防止されるようにしてもよい。
【符号の説明】
【００６１】
１    トレー本体
２    アタッチメント
３    底部
４    側壁部
５    フランジ
６〜８    係止部
６ａ〜８ａ  下側当接部
６ｂ〜８ｂ  上側当接部
６ｃ〜８ｃ  ブリッジ部
【図１】
0003152800.tif 000003
【図２】
0003152800.tif 000004
【図３】
0003152800.tif 000005